(57)【要約】【課題】生産、流通、消費に関する有益及び必要な情報を取り出して活用することができる精密農法情報管理システムを提供する。【解決手段】農産物Ｄの評価情報及び栽培場所を、生産部Ａの生産情報及び流通部Ｂの流通情報、消費部Ｃの消費情報と対応させて情報管理装置１０に記憶する。且つ、情報管理装置１０に記憶された生産情報及び流通情報、消費情報等を閲覧及び取り出す場合、情報端末装置６Ａ，６Ｂ，６Ｃを操作して、生産部Ａ及び流通部Ｂ、消費部Ｃから情報管理装置１０にアクセスするだけで、情報管理装置１０に記憶された情報を何時及び何処からでも閲覧及び検索、取得することができ、生産及び流通、消費における有益及び必要な情報が得られる。【選択図】　図１
2004133498.tif 000002
【特許請求の範囲】
【請求項１】
農産物の品質に関連する評価情報及び該農産物が生産される生産場所に関連する場所情報を、
上記農産物を生産する生産部に関連する生産情報と、該農産物を流通する流通部に関連する流通情報と、該農産物を消費する消費部に関連する消費情報と対応させて情報管理装置に記憶し、
上記生産部及び流通部、消費部の情報端末装置から情報管理装置に対してアクセスが求められたとき、該情報端末装置からのアクセスを許可するか否かを情報管理装置で判定して、
上記情報管理装置に記憶された生産情報及び流通情報、消費情報を、該情報管理装置がアクセス許可した情報端末装置に対して出力する
精密農法情報管理システム。
【請求項２】
上記農産物が生産される生産場所の土壌を土壌測定装置で測定し、
上記農産物の品質を、上記土壌測定装置と対応して移動する品質評価装置で評価及び判定する
請求項１記載の精密農法情報管理システム。
【請求項３】
上記農産物を機械的に収穫しながら該農産物の品質を品質評価装置で評価及び判定する
請求項１記載の精密農法情報管理システム。
【請求項４】
上記農産物が生産される生産場所の土壌を土壌測定装置で測定し、
上記農産物の品質を、該農産物を項目別に選別する選別場の品質評価装置で評価及び判定する
請求項１記載の精密農法情報管理システム。
【請求項５】
上記生産部及び流通部、消費部の情報通信装置を上記農産物と対応して移動する記録媒体に対峙して、
上記生産情報及び流通情報、消費情報を上記記録媒体に対して読取り可能に記録する
請求項１記載の精密農法情報管理システム。
【発明の詳細な説明】
【０００１】
【発明の属する技術分野】
この発明は、例えば農産物の生産、流通、消費の流れに沿った情報を一括管理し、多品種少量高品質の生産及び消費体系に対応した精密農法情報管理システムに関する。
【０００２】
【従来の技術】
従来、上述の農産物に関する情報を管理する方法としては、例えば作物収穫機の作物品質計測手段で計測した作物の品質計測情報を、情報出力手段から計測情報収集手段に出力して、計測情報収集手段で収集した各収穫場所に対応する作物の品質計測情報と、その品質計測情報に基づいて、品質マップ作成手段で作成した各収穫場所に対応する作物の地域毎の品質マップと、生産管理情報作成手段で求めた生産者毎の作物の生産管理情報とを出力する特許文献１の作物情報管理システムがある。
【０００３】
【特許文献１】
特開平１１−５３６７４号公報。
【０００４】
【発明が解決しようとする課題】
しかし、上述の作物情報管理システムは、一つの収穫場所内における品質のバラツキ及び収穫場所の違いによる品質のバラツキ等を判断及び出力するが、収穫場所の土壌を測定する手段及びその測定結果を作物の品質と対応させて管理する機能がなく、肥料や農薬等の散布量、散布箇所を正確に把握することができない。且つ、同一の作物を別の生産者が栽培しようとしても、収穫場所の土壌に関する参考情報が得られないため、同一条件で栽培することが難しく、所望する収穫量が期待できない。且つ、肥沃や農薬等の散布量に過不足が生じることがあるので、土壌及び周囲の環境が損なわれるだけでなく、生産コストが高くなり、収益性が悪くなるという問題点も有している。
【０００５】
この発明は上記問題に鑑み、農産物の評価情報及び場所情報を、生産情報及び流通情報、消費情報と対応させて情報管理装置で管理することにより、生産及び流通、消費の状況を正確且つ確実に把握することができ、有益及び必要な情報を取り出して活用することができる精密農法情報管理システムの提供を目的とする。
【０００６】
【課題を解決するための手段】
この発明は、農産物の品質に関連する評価情報及び該農産物が生産される生産場所に関連する場所情報を、上記農産物を生産する生産部に関連する生産情報と、該農産物を流通する流通部に関連する流通情報と、該農産物を消費する消費部に関連する消費情報と対応させて情報管理装置に記憶し、上記生産部及び流通部、消費部の情報端末装置から情報管理装置に対してアクセスが求められたとき、該情報端末装置からのアクセスを許可するか否かを情報管理装置で判定して、上記情報管理装置に記憶された生産情報及び流通情報、消費情報を、該情報管理装置がアクセス許可した情報端末装置に対して出力する精密農法情報管理システムであることを特徴とする。
【０００７】
上述の農産物は、例えば穀類や野菜、果物、お茶、畜産物等で構成される。また、農産物の評価情報は、例えば色相、損傷、成熟度、大きさ、形状、高さ、幅、体積、偏平度、腐り具合、浮き皮具合、糖酸度、等階級、規格外等の内部及び外部項目で構成される。また、生産場所及び栽培場所の場所情報は、例えば圃場や水田、農家、地域、樹木、牧場、畜産場、生産及び栽培位置等で構成される。また、情報端末装置は、例えばパーソナルコンピューターやモバイルＰＣ、携帯電話、インターネット機能を備えたゲーム機器等で構成され、パーソナルコンピューターで情報を入力する場合、例えばキーボードやマウス、スキャナー、入力ペン、マイク等の入力装置が用いられる。また、情報管理装置は、例えばホストコンピューターやサーバー、ＣＰＵ及びＲＯＭ、ＲＡＭを備えた制御装置等で構成される。
【０００８】
また、精密農法情報管理システムの生産部及び流通部、消費部における情報のレベルは、「データ」→「情報」→「知識」→「知恵」からなり、最初のデータは、実施例の評価及び測定装置で測定した単なる数値及び事実の集まりである。次の情報は、所定の価値基準をもとにデータを整理したものである。次の知識は、情報が人間に獲得及び整理された情報の個性化を伴うものであり、判断の根拠となる。次の知恵は、環境の変化に対応して生み出される新しい創意工夫のレベルである。
【０００９】
且つ、生産部における階層的バラツキは、例えば圃場内（畑地、果樹園等）や圃場間、農家間、営農形態、経営内容、経験、動機、一般農家や篤農家、営農集団、農協・生産組合、団体、組織、産地・地域等で構成され、その階層的バラツキに関連する生産情報としては、例えば生産者の名前や生産地（生育地を含む）、品種名、生産日（収穫日を含む）、出荷日、生産地環境、気象条件、栽培履歴、植物及び樹木、畜産物の識別情報等の農産物に関連する情報と、例えば土壌の性質、形状、面積、土壌肥沃量、土壌水分量、含有成分量、農薬散布量、残留農薬、収穫量、収益、雑草及び病害虫の分布、分散状態、労働力、労働時間、圃場履歴等の圃場及び生産地に関連する階層的バラツキ情報で構成される。
【００１０】
また、流通部における階層的バラツキは、例えば農産物を輸送する箱や袋、コンテナなどの輸送容器、トラックや列車、飛行機、船舶などの輸送手段、その輸送を行う農家や個人、量販・輸送業者（農協等）、団体、組織等で構成され、その階層的バラツキに関連する流通情報としては、例えば自動車や列車、飛行機、船舶、自転車、輸送する個人及び団体、組織、輸送及び流通に要する時間や距離、日数、物流経路（首都圏、地域生産地域消費＝地産地消）、流通コスト、流通状況等の輸送及び流通に関連する階層的バラツキ情報で構成される。
【００１１】
また、消費部における階層的バラツキは、例えば家庭・個人消費者、販売店（小売店、コンビニ等）、団体（生協、大型小売等）、組織、団地・地域、卸市場等で構成され、その階層的バラツキに関連する消費情報としては、例えば農産物の鮮度、賞味期限、価格、収穫から販売に至るまでの時間、販売量、販売店、販売時間、農産物の価格や用途、購入動機、消費者の年齢及び住所、家族構成、商品の回転効率、顧客ニーズ、販売及び経営の状況等の販売及び消費に関連する階層的バラツキ情報で構成される。
【００１２】
且つ、その他の情報としては、例えば広告情報や栽培レシピ、収穫実績、農地所在情報、土作り指導情報等で構成される土壌関連情報と、例えば土壌タイプに応じた農産物や肥料、農薬等の情報、有機農法及減農方法の鑑定サービスに関する情報、土壌の分析情報、連絡先、サービス内容等で構成される広告情報と、例えば土壌タイプに応じて、如何なる農産物を如何なる方法で栽培したら収穫できたかという実績情報等で構成される栽培レシピ及び収穫実績と、例えば特定の土壌タイプを有する農地の場所、所有者、連絡先等の情報で構成される農地所在情報と、例えば農産物を栽培するのに適した土壌タイプの土作り情報、その土作りに関する指導及び案内を紹介するホームページ、土作り指導案内の申し込みページ、土壌汚染防止方法や対策等の情報で構成される土作り指導情報とがある。
【００１３】
加えて、上述の階層的データの相互関係及び管理方式としては、例えば図５に示すように、生産部Ａ及び流通部Ｂ、消費部Ｃとも階層構造をなしており、下位階層の多様性により、上位階層のバラツキが必然となる。且つ、生産部Ａ及び流通部Ｂ、消費部Ｃにおいて階層毎に規格化したり、生産部Ａ及び流通部Ｂ、消費部Ｃの間を農産物Ｄ等が移動する場合、後述する品質評価装置３Ａ，３Ｂ，３Ｃが必要である。且つ、それぞれの階層に注目した組み合わせ例としては、例えば共販：生産組合→農協→卸、産直：農家→トラック→家庭等の様々な組み合わせがあり、上述の生産及び流通、消費に対応した情報管理が必要になるため、情報管理システムは階層構造になる。
【００１４】
つまり、農産物の品質に関連する評価情報及び農産物の生産場所に関連する場所情報を、生産部の生産情報及び流通部の流通情報、消費部の消費情報と対応させて情報管理装置に記憶する。生産部及び流通部、消費部の情報端末装置から情報管理装置に対してアクセスが求められたとき、そのアクセスを許可するか否かを情報管理装置で判定して、情報管理装置に記憶された生産情報及び流通情報、消費情報を、アクセス許可された情報端末装置に対して出力する。
【００１５】
実施の形態として、上記農産物が生産される生産場所の土壌を土壌測定装置（例えば国際公開第０１／０４６２７号パンフレット）で測定し、上記農産物の品質を、上記土壌測定装置と対応して移動する品質評価装置（例えばモノクロ又はカラーの撮像カメラやビデオカメラ、ディジタルカメラ、画像素子等の光学的検出手段及パーソナルコンピューターやＣＰＵ、ＲＯＭ、ＲＡＭを備えた判定装置等）で評価及び判定することもできる。また、上記農産物を機械的に収穫しながら該農産物の品質を品質評価装置で評価及び判定することもできる。また、上記農産物が生産される生産場所の土壌を土壌測定装置で測定し、上記農産物の品質を、該農産物を項目別に選別する選別場の品質評価装置で評価及び判定することもできる。また、上記生産部及び流通部、消費部の情報通信装置を上記農産物と対応して移動する記録媒体（例えばＭＯやＣＤ−ＲＯＭ、メモリーカード、フレキシブルディスク等）に対峙して、上記生産情報及び流通情報、消費情報を上記記録媒体に対して読取り可能に記録することもできる。
【００１６】
【作用及び効果】
この発明によれば、農産物の評価情報及び場所情報を、生産部の生産情報及び流通部の流通情報、消費部の消費情報と対応させて情報管理装置により管理するので、生産状況及び流通状況、消費状況を農産物の流れに沿って正確且つ確実に把握することができ、生産、流通、消費に関する有益及び必要な情報を生産部及び流通部、消費部から取り出して、生産及び流通、消費に活用することができる。且つ、農産物の品質及び生産地と、生産及び流通、消費に関する情報とが対応しているので、情報の信頼性が高く、農産物の販売及び購入が安心して行える。且つ、同じ種類の農産物を別の生産者が生産及び栽培しようとする場合、農作業の経験及び知識がなくても、情報管理装置に記憶された農産物及び生産地に関する情報を参考にして農作業を行うこともできる。
【００１７】
【実施例】
この発明の一実施例を以下図面に基づいて詳述する。
【００１８】
図面は、農産物の生産、流通、消費という流れに沿った縦のバラツキ情報を一括管理する精密農法情報管理システムを示し、図１に於いて、この精密農法情報管理システム１は、農産物Ｄを生産及び栽培する生産部Ａ（営農部）における生産情報と、農産物Ｄを輸送及び流通する流通部Ｂにおける流通情報と、農産物Ｄを販売及び消費する消費部Ｃにおける消費情報とを一括管理するシステムである。
【００１９】
上述の生産部Ａは、図２にも示すように、農産物Ｄが生産される生産場所及び栽培される栽培場所等の土壌を測定する公知の土壌測定装置２Ａ（国際公開第０１／０４６２７号パンフレット）と、人為的又は機械的に収穫される農産物Ｄの品質を評価及び判定する品質評価装置３Ａと、農産物Ｄ毎及びその農産物Ｄを載置する載置体Ｅ毎に付設したバーコードＦの識別情報を読取る情報読取り装置４Ａと、上述の土壌測定装置２Ａで測定した土壌情報、上述の品質評価装置３Ａで評価した評価情報及び情報読取り装置４Ａで読取った識別情報を対応させて、後述する情報管理装置１０に送受信する情報通信装置５Ａと、上述の土壌情報及び評価情報、識別情報を入力及び出力することができる情報端末装置６Ａと、農産物Ｄの生育状態を測定する作物生育測定装置７Ａと、農産物Ｄの収量及び収穫量を測定する収量測定装置８Ａと、病害虫の分布及び有無を測定する病害虫測定装置９Ａとを備えている。また、上述のバーコードＦを、例えば一つ又は複数の農産物Ｄを収容する箱体及び袋体、コンテナ等に付設してもよい。
【００２０】
上述の土壌測定装置２Ａは、例えばトラクターや自動車等の走行車或いは飛行機やヘリコプター等の飛行体に搭載され、土壌測定装置２Ａが搭載された走行車２Ａｃを圃場及び栽培場所の土壌面に沿って走行移動及びＧＰＳにより測定位置を検出しながら、例えば土壌の性質や形状、面積、土壌肥沃量、土壌水分量、含有成分量、農薬散布量、雑草の分布等を土壌センサー２Ａａで検出して、ＧＰＳの位置情報及び土壌センサー２Ａａの土壌情報に基づいて、例えば土壌マップや生育マップ、収量マップ、水分マップ、含有成分マップ、農薬散布マップ、雑草及び病害虫のマップ、分散状態等を圃場毎及び栽培場所毎に作成する。
【００２１】
且つ、土壌測定装置２Ａに接続された情報通信装置２Ａｂは、上述の土壌情報及びマップ情報、生産場所及び栽培場所の場所情報を、土壌測定支援装置（図示省略）を介して、情報管理装置１０に送信及び記憶する。なお、上述の土壌測定装置２Ａで測定した測定情報を、例えばＭＯやＣＤ−ＲＯＭ等の記録媒体に一旦記録し、その記録媒体から情報管理装置１０に記憶することもできる。また、土壌測定装置２Ａを、作業者の手で移動させながら土壌測定することもできる。
【００２２】
つまり、上述のマップ情報に基づいて、必要最小限の肥料を、肥料散布機（図示省略）により場所毎の要求に応じて適量を可変散布し、環境汚染を可能な限り少なくして、最大の施肥効率を上げることができる。且つ、必要最小限の農薬を、農薬散布機（図示省略）により場所毎の要求に応じて適量を可変散布することもでき、生産コストと環境負荷の低減を図りながら、環境保全及び生産性、収益性の向上を同時に実現することができる。
【００２３】
前述の品質評価装置３Ａは、撮像カメラ３Ａａ及び判定装置３Ａｂを備え、人為的又は機械的に収穫される農産物Ｄの外部項目及び内部項目を撮像カメラ３Ａａで撮像し、その撮像カメラ３Ａａから出力される画像情報と、予め記憶された基準情報とを判定装置３Ａｂで比較及び演算して、農産物Ｄ全体の品質（例えば色相、損傷、成熟度、大きさ、形状、高さ、幅、体積、偏平度、腐り具合、浮き皮具合、糖酸度、等階級、規格外等の所定項目）を個々に評価及び判定する。
【００２４】
前述の情報読取り装置４Ａは、上述の品質評価装置３Ａによる評価及び判定と対応して、農産物Ｄ自体及び載置体Ｅ自体に付設したバーコードＦの識別情報を読取る。且つ、その識別情報と対応して、農産物Ｄの生産場所及び栽培場所等の場所情報を読取ることもできる。
【００２５】
前述の情報通信装置５Ａは、上述の走行車２Ａｃに搭載又は土壌測定装置２Ａに接続され、上述の評価情報及び識別情報を、無線式及び有線式の通信回線或いはネットワーク１１を介して、後述する情報管理装置１０に送信及びその情報管理装置１０に記憶された生産部Ａの生産情報及び流通部Ｂの流通情報、消費部Ｃの消費情報を受信する。一方、情報管理装置１０は、土壌測定装置２Ａから送信される土壌情報及び情報通信装置５Ａから送信される評価情報及び識別情報、場所情報等を対応させて、一つの生産情報として読出し可能に記憶する。
【００２６】
前述の情報端末装置６Ａは、無線式及び有線式の通信回線或いはネットワーク１１を介して、情報管理装置１０に接続され、例えば生産者の名前や生産地（生育地を含む）、品種名、生産日（収穫日を含む）、出荷日、生産地環境、気象条件、栽培履歴、労働力、労働時間、圃場履歴等の農産物に関連する情報と、上述の土壌測定装置２Ａによる測定作業及び品質評価装置３Ａによる評価作業に必要な情報と、農産物Ｄ毎及び載置体Ｅ毎に付設されたバーコードＦの情報を入力するか、上述の生産情報及び評価情報、識別情報、場所情報を情報管理装置１０に送信及び記憶するときに操作される。且つ、情報管理装置１０に記憶された生産部Ａの生産情報及び評価情報、流通部Ｂの流通情報、消費部Ｃの消費情報等の情報を得るときにも操作される。
【００２７】
前述の作物生育測定装置７Ａ及び収量測定装置８Ａ、病害虫測定装置９Ａは、ＧＰＳにより測定位置を検出しながら、農産物Ｄの生育状態を作物生育測定装置７Ａで測定し、農産物Ｄの収量及び収穫量を収量測定装置８Ａで測定し、病害虫の分布及び有無を病害虫測定装置９Ａで測定して、ＧＰＳの位置情報及び生育情報及び収量情報、病害虫情報に基づいて、例えば生育マップ及び収量マップ、病害虫のマップ等を圃場毎及び栽培場所毎に作成する。
【００２８】
前述の流通部Ｂは、図３にも示すように、上述の生産部Ａから供給される農産物Ｄの品質を評価及び判定する品質評価装置３Ｂと、農産物Ｄ毎及び載置体Ｅ毎に付設されたバーコードＦの識別情報を読取る情報読取り装置４Ｂと、農産物Ｄの輸送方法に関連する情報を送受信する情報通信装置５Ｂと、上述の評価情報及び流通情報、識別情報を入力及び出力する情報端末装置６Ｂとを備えている。
【００２９】
上述の品質評価装置３Ｂは、撮像カメラ３Ｂａ及び判定装置３Ｂｂを備え、前述の品質評価装置３Ａと略同一の構成及び作用を有するので、その詳細な説明を省略する。つまり、輸送車３Ｂｃ又は輸送業者により生産部Ａから流通部Ｂに輸送される農産物Ｄの品質を評価及び判定する。且つ、前述の情報読取り装置４Ｂは、上述の品質評価装置３Ｂによる評価及び判定と対応して、農産物Ｄ自体及び載置体Ｅ自体に付設されたバーコードＦの識別情報を読取る。
【００３０】
前述の情報通信装置５Ｂは、上述の評価情報及び識別情報を、後述する情報端末装置６Ｂにより入力される流通情報と対応して、無線式及び有線式の通信回線或いはネットワーク１１を介して、後述する情報管理装置１０に送信及びその情報管理装置１０に記憶された生産情報、流通情報、消費情報を受信する。一方、情報管理装置１０は、上述の評価情報及び流通情報を、農産物Ｄ毎及び載置体Ｅ毎に付設されたバーコードＦの識別情報と対応させて読出し可能に記憶すると共に、生産部Ａの生産情報及び消費部Ｃの消費情報に基づいて、農産物Ｄの輸送及び流通に要する時間や距離、日数、輸送経路等を算出し、上述の識別情報及び後述する流通情報と対応させて記憶する。
【００３１】
前述の情報端末装置６Ｂは、無線式及び有線式の通信回線或いはネットワーク１１を介して、情報管理装置１０に接続され、例えば自動車や列車、飛行機、船舶、自転車、輸送する個人及び団体、組織、輸送及び流通に要する時間や距離、日数、輸送経路、農産物Ｄの輸送数等の輸送に関連する流通情報を入力したり、農産物Ｄ毎及び載置体Ｅ毎に付設されたバーコードＦの情報を入力したり、上述の評価情報及び識別情報、流通情報を情報管理装置１０に送信及び記憶するときに操作される。且つ、情報管理装置１０に記憶された生産部Ａの生産情報、流通部Ｂの流通情報、消費部Ｃの消費情報を得るときにも操作される。
【００３２】
前述の消費部Ｃは、図４にも示すように、上述の流通部Ｂから供給及び消費者Ｇに販売される農産物Ｄの品質を評価及び判定する品質評価装置３Ｃと、農産物Ｄ毎及び載置体Ｅ毎に付設されたバーコードＦの識別情報を読取る情報読取り装置４Ｃと、農産物Ｄの消費及び販売に関連する情報を送受信する情報通信装置５Ｃと、上述の評価情報及び流通情報、識別情報を入力及び出力する情報端末装置６Ｃとを備えている。
【００３３】
上述の品質評価装置３Ｃは、撮像カメラ３Ｃａ及び判定装置３Ｃｂを備え、前述の品質評価装置３Ａと略同一の構成及び作用を有するので、その詳細な説明を省略する。つまり、生産部Ａから直接供給される農産物Ｄ及び流通部Ｂに供給される農産物Ｄの品質を評価及び判定する。且つ、前述の情報読取り装置４Ｃは、上述の品質評価装置３Ｃによる評価及び判定と対応して、農産物Ｄ自体及び載置体Ｅ自体に付設されたバーコードＦの識別情報を読取る。
【００３４】
前述の情報通信装置５Ｃは、上述の評価情報及び識別情報を、後述する情報端末装置６Ｃにより入力される消費情報と対応して、無線式及び有線式の通信回線或いはネットワーク１１を介して、後述する情報管理装置１０に送信及びその情報管理装置１０に記憶された生産情報、流通情報、消費情報を受信する。一方、情報管理装置１０は、上述の評価情報及び消費情報を、農産物Ｄ毎及び載置体Ｅ毎に付設されたバーコードＦの識別情報と対応させて読出し可能に記憶すると共に、生産部Ａの生産情報及び流通部Ｂの流通情報に基づいて、例えば農産物の鮮度、賞味期限、収穫から販売に至るまでの時間、販売量、販売店、販売時間等を算出し、上述の識別情報及び後述する消費情報と対応させて記憶する。
【００３５】
前述の情報端末装置６Ｃは、無線式及び有線式の通信回線或いはネットワーク１１を介して、情報管理装置１０に接続され、例えば農産物の鮮度、賞味期限、収穫から販売に至るまでの時間、販売量、販売店、販売時間、農産物の価格や用途、購入動機、消費者の年齢及び住所、家族構成等の消費及び販売に関連する消費情報を入力したり、農産物Ｄ毎及び載置体Ｅ毎に付設されたバーコードＦの情報を入力したり、上述の評価情報及び識別情報、消費情報を情報管理装置１０に送信及び記憶するときに操作される。且つ、情報管理装置１０に記憶された生産部Ａの生産情報、流通部Ｂの流通情報、消費部Ｃの消費情報を得るときにも操作される。
【００３６】
前述の情報管理装置１０は、図１にも示すように、生産部Ａの生産情報及び流通部Ｂの流通情報、消費部Ｃの消費情報等の情報を一括して管理し、生産部Ａの生産情報及び流通部Ｂの流通情報、消費部Ｃの消費情報を、農産物Ｄ及び栽培場所（圃場）と対応して読み出し可能に記憶する。且つ、生産部Ａ及び流通部Ｂ、消費部Ｃにおける知的支援情報（例えば情報・データベース及び情報ベース、知識ベース、知恵ベース、評価・判定・指示のアルゴリズム等）を知的情報部１０ａに対して読み出し可能及び書き込み可能に記憶して、例えば知的営農集団及び専門家集団等の知的支援部１５に対して出力可能に設けている。
【００３７】
つまり、生産部Ａ及び流通部Ｂ、消費部Ｃからアクセスが求められた場合、生産部Ａ及び流通部Ｂ、消費部Ｃに配置した情報端末装置６Ａ，６Ｂ，６Ｃ（例えばパーソナルコンピューター）を操作して、予め取得した認証コード及びアクセス権を、無線式及び有線式の通信回線或いはネットワーク１１を介して、情報管理装置１０に送信したとき、その情報端末装置６Ａ，６Ｂ，６Ｃから送信される認証コード及びアクセス権が登録済みであるか否かを判定し、登録済みであると判定されたときアクセスを許可する。一方、未登録であると判定された場合、アクセスを拒否する。
【００３８】
且つ、情報管理装置１０に対するアクセスが許可された場合、農産物Ｄ自体及び載置体Ｅ自体に付設されたバーコードＦの識別情報を情報端末装置６Ａ，６Ｂ，６Ｃで入力して、その識別情報と対応して記憶された生産部Ａの生産情報及び流通部Ｂの流通情報、消費部Ｃの消費情報を情報管理装置１０から読み出す。また、生産及び流通、消費等に関連する情報を情報端末装置６Ａ，６Ｂ，６Ｃで入力してもよく、上述のバーコードＦの識別情報と対応して情報管理装置１０に記憶することができる。
【００３９】
なお、生産部Ａの生産情報及び流通部Ｂの流通情報、消費部Ｃの消費情報等の情報を、生産部Ａ及び流通部Ｂ、消費部Ｃに備えられた情報端末装置６Ａ，６Ｂ，６Ｃから入力してもよい。
【００４０】
図示実施例は上記の如く構成するものにして、以下、精密農法情報管理システム１により農産物Ｄの生産、流通、消費という流れに沿った縦のバラツキ情報を一括管理する方法を説明する。
【００４１】
先ず、生産部Ａにおいて、図１及び図２に示すように、土壌測定装置２Ａが搭載された走行車２Ａｃを走行移動及びＧＰＳにより測定位置を検出しながら、例えば土壌肥沃量や土壌水分量、含有成分量、農薬散布量、収穫量、雑草及び病害虫の分布等を土壌センサー２Ａａで検出して、圃場毎及び栽培場所毎に分布マップを作成する。
【００４２】
且つ、ＧＰＳにより測定位置を検出しながら、農産物Ｄの生育状態を作物生育測定装置７Ａで測定し、農産物Ｄの収量及び収穫量を収量測定装置８Ａで測定し、病害虫の分布及び有無を病害虫測定装置９Ａで測定して、圃場毎及び栽培場所毎に生育及び収量、病害虫のマップを作成する。上述と同様にして、各圃場間及び農家間、集団毎、地域毎の圃場マップを作成する。
【００４３】
且つ、人為的又は機械的に収穫される農産物Ｄの品質を品質評価装置３Ａで評価及び判定すると共に、農産物Ｄ自体及び載置体Ｅ自体に付設されたバーコードＦの識別情報を情報読取り装置４Ａで読取る。且つ、上述の土壌測定装置２Ａの土壌情報及び品質評価装置３Ａの評価情報及び識別情報、場所情報を、情報通信装置５Ａから情報管理装置１０に送信して、土壌情報及び評価情報、識別情報、場所情報を対応させて、生産部における生産情報として情報管理装置１０に記憶する。
【００４４】
次に、流通部Ｂにおいて、図３にも示すように、輸送車３Ｂｃにより生産部Ａから流通部Ｂに輸送される農産物Ｄの品質を品質評価装置３Ｂで評価及び判定し、その評価及び判定と対応して、農産物Ｄ自体及び載置体Ｅ自体に付設されたバーコードＦの識別情報を情報読取り装置４Ｂで読取ると共に、上述の評価情報及び識別情報を、情報通信装置５Ｂから情報管理装置１０に送信して記憶する。
【００４５】
且つ、生産部Ａの生産情報及び消費部Ｃの消費情報に基づいて、農産物Ｄの輸送及び流通に要する時間や距離、流通方法、日数、輸送経路等の流通に関連するデータを情報管理装置１０で算出し、上述の評価情報及び識別情報と、その他の流通情報とを対応させて読出し可能に記憶する。
【００４６】
次に、消費部Ｃにおいて、図４にも示すように、流通部Ｂから供給及び消費者Ｇに販売される農産物Ｄの品質を品質評価装置３Ｃで評価及び判定し、その評価及び判定と対応して、農産物Ｄ又は載置体Ｅに付設されたバーコードＦの識別情報を情報読取り装置４Ｃで読取ると共に、上述の評価情報及び識別情報を、情報通信装置５Ｃから情報管理装置１０に送信して記憶する。
【００４７】
且つ、生産部Ａの生産情報及び流通部Ｂの流通情報に基づいて、例えば農産物の鮮度、賞味期限、収穫から販売に至るまでの時間、販売量、販売店、販売時間等の消費に関連するデータを情報管理装置１０で算出し、上述の評価情報及び識別情報と、その他の消費情報とを対応させて読出し可能に記憶する。
【００４８】
次に、情報管理装置１０に記憶された生産情報及び流通情報、消費情報等を、生産部Ａや流通部Ｂ、消費部Ｃにおいて閲覧及び取り出す場合、通信回線及び或いはネットワーク１１を介して、情報管理装置１０に接続される情報端末装置６Ａ，６Ｂ，６Ｃであれば、情報管理装置１０に記憶された生産情報及び流通情報、消費情報を何時及び何処からでも閲覧及び検索、取得することができる。
【００４９】
つまり、予め取得した認証コード及びアクセス権を情報端末装置６Ａ，６Ｂ，６Ｃで入力して、情報管理装置１０に送信する。その認証コード及びアクセス権が登録済みであると判定された場合、アクセスが許可され、農産物Ｄ自体又は載置体Ｅに付設されたバーコードＦの識別情報を情報端末装置６Ａ，６Ｂ，６Ｃで入力すれば、その識別情報と対応して記憶された生産情報及び流通情報、消費情報等を情報管理装置１０から読み出すことができ、生産部Ａ及び流通部Ｂ、消費部Ｃに配設した情報端末装置６Ａ，６Ｂ，６Ｃのディスプレイで画面表示することができる。
【００５０】
且つ、生産情報及び流通情報、消費情報を情報端末装置６Ａ，６Ｂ，６Ｃに記憶及びＭＯやＣＤ−ＲＯＭ、メモリーカード、フレキシブルディスク等の記録媒体に記録するか、プリンターで印刷する等して取り出すことができ、その情報を、生産部Ａ及び流通部Ｂ、消費部Ｃにおいて情報要求者が取得するか、記録媒体に記憶された情報を情報端末装置６Ａ，６Ｂ，６Ｃで閲覧及び取り出して、生産及び流通、消費に利用することもできる。加えて、記録媒体に記憶された生産情報及び流通情報、消費情報を情報管理装置１０に記憶することもできる。
【００５１】
且つ、農産物Ｄを生産及び栽培する生産者の経験や知識等の知的支援情報を情報管理装置１０に記憶しておくこともでき、同じ種類の農産物Ｄを別の生産者が栽培するとき、生産及び栽培しようとする農産物Ｄに関連するキーワードを情報端末装置６Ａ，６Ｂ，６Ｃで入力すれば、そのキーワードが記憶された特定及び複数の情報を読み出すことができ、複数の情報の中から生産及び栽培しようとする農産物Ｄに適した知識や経験、栽培方法、肥料及び農薬の散布量、散布方法等の情報を取得及び見つけ出すことができる。
【００５２】
且つ、農産物Ｄの栽培レシピ及び収穫実績、産地及び農園の情報、肥料の種類、肥料及び農薬の安全性、農産物を使った料理や健康法等の情報も記憶しておくことができ、例えば個人や団体、会社等から広告料及び登録料、データ使用料を徴収することができる。
【００５３】
以上のように、農産物Ｄの評価情報及び場所情報を、生産部Ａの生産情報及び流通部Ｂの流通情報、消費部Ｃの消費情報と対応させて情報管理装置１０により管理するので、生産状況及び流通状況、消費状況を農産物Ｄの流れに沿って正確且つ確実に把握することができ、生産、流通、消費に関する有益及び必要な情報を生産部Ａ及び流通部Ｂ、消費部Ｃから取り出して、生産及び流通、消費に活用することができる。
【００５４】
且つ、農産物Ｄの評価情報及び場所情報を、生産及び流通、消費に関する情報と対応させて一括管理するので、生産部Ａ及び流通部Ｂ、消費部Ｃにおいて、例えば生産者の名前や生産地、農産物の鮮度、賞味期限、生産地、肥料や農薬の種類及び使用量等の農産物Ｄに関連する詳細な情報を取得することができ、情報の信頼性が高く、農産物Ｄの販売及び購入が安心して行える。且つ、同じ種類の農産物Ｄを別の生産者が生産及び栽培しようとする場合、農作業の経験及び知識がなくても、情報端末装置７に記憶された情報を参考にして農作業を行うことができる。
【００５５】
図６は、農産物Ｄを、自走式の農産物選別機１２により収穫及び選別する他の例を示し、農産物Ｄを、農産物選別機１２により機械的に収穫しながら、農産物Ｄの品質を、農産物選別機６に搭載した品質評価装置３Ａで個々に評価及び判定して選別処理する。且つ、品質評価装置３Ａによる評価及び判定と対応して、農産物Ｄ自体及び載置体Ｅ自体に付設したバーコードＦの識別情報を情報読取り装置４Ａで読取り、その識別情報を、前述の土壌測定装置２Ａの土壌情報及び品質評価装置３Ａの評価情報と対応させて情報管理装置１０に送信及び記憶するので、生産部Ａ及び流通部Ｂ、消費部Ｃから情報管理装置１０にアクセスするだけで、生産及び流通、消費における有益な情報を得ることができ、上述の実施例と略同等の作用及び効果を奏することができる。
【００５６】
図７は、農産物Ｄを、選別場１３に備えられた品質評価装置３Ａで評価及び判定するその他の例を示し、人為的又は機械的に収穫される農産物Ｄの品質を、選別場１３の品質評価装置３Ａで個々に評価及び判定して選別する。且つ、品質評価装置３Ａによる評価及び判定と対応して、農産物Ｄ自体及び載置体Ｅ自体に付設したバーコードＦの識別情報を情報読取り装置４Ａで読取り、その識別情報を、前述の土壌測定装置２Ａの土壌情報及び品質評価装置３Ａの評価情報と対応させて情報管理装置１０に送信及び記憶するので、生産部Ａ及び流通部Ｂ、消費部Ｃから情報管理装置１０にアクセスするだけで、営農や流通、消費における有益な情報を得ることができ、上述の実施例と略同等の作用及び効果を奏することができる。
【００５７】
図８は、バーコードＦに代わる記録媒体のその他の例を示し、生産部Ａにおいて、非接触型情報通信装置１４を、農産物Ｄ自体及び載置体Ｅ自体に付設された情報記録媒体Ｈに対峙して、前述の土壌測定装置２Ａの土壌情報及び品質評価装置３Ａの評価情報、農産物Ｄの識別情報等の生産部Ａにおける生産情報を情報記録媒体Ｈに対して直接記録及びその情報記録媒体Ｈに記録された情報を読取る等してもよく、前述の実施例と略同等の作用及び効果を奏することができる。且つ、上述と同様にして、流通部Ｂの流通情報及び消費部Ｃの消費情報を情報記録媒体Ｈに対して読取り可能に記録することもできる。
【００５８】
なお、図６及び図７、図８において、前述の実施例と同一の構成部分は、同一の符号を記してその詳細な説明を省略する。
【００５９】
且つ、上述の品質評価装置３Ａ，３Ｂ，３Ｃ及び情報端末装置６Ａ，６Ｂ，６Ｃを、生産部Ａ及び流通部Ｂ、消費部Ｃに移動して、農産物Ｄの品質を個々に評価及び判定するか、生産部Ａの生産情報及び流通部Ｂの流通情報、消費部Ｃの消費情報を入力及び出力することもできる。また、農産物Ｄを載置体Ｅに載置する代わりに、例えばプラスチックや紙、金属、ガラス等で形成された容器に一つ又は複数収容して輸送及び運搬してもよい。
【図面の簡単な説明】
【図１】農産物に関連する情報の精密農法情報管理システムを示す説明図。
【図２】生産部における農産物及び土壌の情報取扱い方法を示すブロック図。
【図３】流通部における農産物及び流通の情報取扱い方法を示すブロック図。
【図４】消費部における農産物及び消費の情報取扱い方法を示すブロック図。
【図５】階層的データの相互関係及び管理方式を示す説明図。
【図６】農産物を収穫しながら選別するその他の例を示す説明図。
【図７】選別場において農産物を評価及び判定するその他の例を示す説明図。
【図８】情報を非接触型の記録媒体に記録するその他の例を示すブロック図。
【符号の説明】
Ａ…生産部
Ｂ…流通部
Ｃ…消費部
Ｄ…農産物
Ｅ…載置体
Ｆ…バーコード
Ｇ…消費者
Ｈ…情報記録媒体
１…精密農法情報管理システム
２Ａ…土壌測定装置
３Ａ，３Ｂ，３Ｃ…品質評価装置
４Ａ，４Ｂ，４Ｃ…情報読取り装置
５Ａ，５Ｂ，５Ｃ…情報通信装置
６Ａ，６Ｂ，６Ｃ…情報端末装置
１０…情報管理装置
１１…ネットワーク
１２…農産物選別機
１３…選別場
１４…非接触型情報通信装置
【図１】
2004133498.tif 000003
【図２】
2004133498.tif 000004
【図３】
2004133498.tif 000005
【図４】
2004133498.tif 000006
【図５】
2004133498.tif 000007
【図６】
2004133498.tif 000008
【図７】
2004133498.tif 000009
【図８】
2004133498.tif 000010